(57)【特許請求の範囲】
【請求項１】
ユーザの操作する携帯通信端末と、車両に搭載された車載制御装置と、前記携帯通信端末および前記車載制御装置とそれぞれ通信可能な情報センタと、を含む車両遠隔操作システムにおいて、
前記情報センタは、
前記携帯通信端末から、前記車両に搭載され予め定められた動作を行う車載機器に対する動作要求を取得する動作要求取得手段と、
取得した前記動作要求に基づいて、前記携帯通信端末の認証を行う認証部と、
前記認証の結果に基づいて、前記ユーザが該車載機器を動作させるための前提として行うべき操作を案内する操作案内情報を作成・出力する操作案内情報作成出力手段と、を備え、
前記車載制御装置は、
前記操作案内情報を取得する操作案内情報取得手段と、
取得した前記操作案内情報を表示する操作案内情報表示手段と、
を備えることを特徴とする車両遠隔操作システム。
【請求項２】
前記操作案内情報作成出力手段は、前記車載機器を動作させるために必要な認証コードを作成・出力し、前記ユーザに、その認証コードを前記携帯通信端末に入力することを促す内容を含む前記操作案内情報を作成・出力する請求項１に記載の車両遠隔操作システム。
【請求項３】
前記情報センタは、前記ユーザにより前記携帯通信端末に入力された前記認証コードを取得する認証コード取得手段と、
取得した前記認証コードと、前記操作案内情報作成出力手段が作成した認証コードとを照合する認証コード照合手段と、
前記２つの認証コードが正しく照合されたときに、前記車載機器を動作させるための動作指令情報を出力する動作指令情報出力手段と、を備え、
前記車載制御装置は、前記動作指令情報を取得する動作指令情報取得手段と、
前記動作指令情報に基づいて前記車載機器を動作制御する動作制御手段と、を備える請求項２に記載の車両遠隔操作システム。
【請求項４】
前記操作案内情報は、前記動作要求に対応する前記車載機器の動作が、予め定められた条件において許可された状態にあることを示す操作許可情報を含む請求項１に記載の車両遠隔操作システム。
【請求項５】
前記車載機器は、前記車両の各ドアのロック機構のアンロック，トランクのロック機構のアンロック，窓の開放のうちの少なくとも一つを行う請求項１ないし請求項４のいずれか１項に記載の車両遠隔操作システム。
【発明の詳細な説明】
【技術分野】
【０００１】
本発明は、ユーザからの遠隔操作要求に応じて要求された操作を車両に実施させる車両遠隔操作システムに関するものである。
【背景技術】
【０００２】
ユーザからの遠隔操作要求に応じて要求された操作を車両に実行させる車両遠隔操作システムが知られている。この車両遠隔操作システムは、ユーザが携帯電話を用いてセンタ経由で車両を遠隔操作するものであるが、ユーザから要求された遠隔操作内容と車両状態情報とを比較することで、遠隔操作を要求した車両ユーザへの結果通知の応答性を向上させた車両遠隔操作装置およびシステムが考案されている（特許文献１参照）。
【０００３】
【特許文献１】特開２００６−２９５７１５号公報
【発明の開示】
【発明が解決しようとする課題】
【０００４】
特許文献１のような車両遠隔操作システムの場合、携帯電話等の通信を利用するため、悪意を持つ人物がＩＤ・パスワードを不正に取得して正規ユーザになりすまして、特にアンロックなどの車両の不正操作を行うと、車上荒らしや車両盗難の被害に遭う可能性もある。また、車両を操作するユーザの位置に制約はないため、ユーザが車両から遥かに離れた場所からでも操作できてしまうという問題もある。仮に、ユーザが車両に接近しつつ操作を行ったとしても、周知のワイヤレスキーとは異なり、車両がユーザの視界外にあっても操作を行うことができ、ユーザが車両に近づく前に、上記のような被害に遭う可能性も低くない。
【０００５】
上記問題を背景として、本発明の課題は、セキュリティ性を高めた車両遠隔操作システムを提供することにある。
【課題を解決するための手段および発明の効果】
【０００６】
上記課題を解決するための車両遠隔操作システムは、ユーザの操作する携帯通信端末と、車両に搭載された車載制御装置と、携帯通信端末および車載制御装置とそれぞれ通信可能な情報センタと、を含む車両遠隔操作システムにおいて、情報センタは、携帯通信端末から、車両に搭載され予め定められた動作を行う車載機器に対する動作要求を取得する動作要求取得手段と、取得した動作要求に基づいて、携帯通信端末の認証を行う認証部と、認証の結果に基づいて、ユーザが該車載機器を動作させるための前提として行うべき操作を案内する操作案内情報を作成・出力する操作案内情報作成出力手段と、を備え、車載制御装置は、操作案内情報を取得する操作案内情報取得手段と、取得した操作案内情報を表示する操作案内情報表示手段と、を備えることを特徴とする。
【０００７】
本発明は、従来技術では、ユーザが車両の近傍にいるか否かにかかわらず、遠隔操作が可能であったのに対し、車載制御装置に表示された操作案内情報に基づく操作をしなければ、ユーザが所望する車載機器の動作をさせることができない構成となっている。上記構成によって、悪意を持つ人物が正規ユーザになりすましても、遠隔地から不正に車両を操作することを防止できる。また、ユーザも操作案内情報が視認可能な範囲内すなわち車両の近傍にいなければ、所望する車載機器の動作をさせることができないため、車両がユーザの視界外にある隙を衝かれて被害に遭うこともなく、セキュリティ性を高めることが可能となる。
【０００８】
また、本発明の車両遠隔操作システムにおける操作案内情報作成出力手段は、車載機器を動作させるために必要な認証コードを作成・出力し、ユーザに、その認証コードを携帯通信端末に入力することを促す内容を含む操作案内情報を作成・出力するように構成される。
【０００９】
上記構成によっても、悪意を持つ人物が正規ユーザになりすましても、遠隔地から不正に車両を操作することを防止できる。また、正規ユーザといえども、情報センタに正しくアクセスする以外に、車両の近傍にいて認証コードが視認可能でなければ、所望する車載機器の動作をさせることができないため、ユーザの視界内で所望する動作をさせることとなり、セキュリティ性を高めることが可能となる。
【００１０】
また、本発明の車両遠隔操作システムにおける情報センタは、ユーザにより携帯通信端末に入力された認証コードを取得する認証コード取得手段と、取得した認証コードと、操作案内情報作成出力手段が作成した認証コードとを照合する認証コード照合手段と、２つの認証コードが正しく照合されたときに、車載機器を動作させるための動作指令情報を出力する動作指令情報出力手段と、を備え、車載制御装置は、動作指令情報を取得する動作指令情報取得手段と、動作指令情報に基づいて車載機器を動作制御する動作制御手段と、を備えるように構成される。
【００１１】
上記構成によって、情報センタにアクセスした際の認証が正しく行われること，操作案内情報を視認可能な車両の近傍にいること，操作案内情報に含まれる認証コードを送信した際の情報センタでの認証が正しく行われること，の全て（３ステップのチェック）が満たされないと、所望する車載機器の動作をさせることができないため、情報センタにアクセスした際の認証が正しく行われただけ（１ステップのチェック）で所望する車載機器の動作をさせることが可能な従来技術の構成に比べて、不正アクセスを排除することができ、セキュリティ性を格段に高めることが可能となる。
【００１２】
また、本発明の車両遠隔操作システムにおける操作案内情報は、動作要求に対応する車載機器の動作が、予め定められた条件において許可された状態にあることを示す操作許可情報を含むように構成される。
【００１３】
上記構成によって、車両の近傍にいなければ、車両のどの部分を動作させることができるかが分からないため、不正アクセスによる遠隔地からの車両（車載機器）の操作を防止できる。また、正規ユーザといえども、情報センタに正しくアクセスし、車両の近傍にいて操作許可情報が視認可能である条件の他に、予め定められた条件を満たすときのみ所望する動作をさせることができるようになっているため、セキュリティ性を高めることが可能となる。
【００１４】
また、本発明の車両遠隔操作システムにおける車載機器は、車両の各ドアのロック機構のアンロック，トランクのロック機構のアンロック，窓の開放のうちの少なくとも一つを行うように構成される。
【００１５】
本発明は、キーを車内に閉じ込めた、あるいはキーを忘れてきたといった理由で、キーを所持していない正規ユーザが、キーを使用しないで携帯通信端末を操作することで車載機器を操作することを目的としている。上記構成によって、ユーザが必要とする車載機器の動作を、より安全な状況下で遠隔操作することができる。
【発明を実施するための最良の形態】
【００１６】
以下、本発明の車両遠隔操作システムの実施の形態を、図面を用いて説明する。図１に、車両遠隔操作システムの構成を示す。車両遠隔操作システム１００は、遠隔操作の対象となる車両１０１と、サーバ装置１２０が設置された情報センタ１０２と、車両１０１のユーザが所持する携帯通信端末１０３とから構成される。
【００１７】
ユーザは、携帯通信端末１０３を利用して、情報センタ１０２（サーバ装置１２０）を通じて車両１０１に搭載された車載機器１１４（図２参照）を動作させるための動作要求を送る。動作要求を受けた情報センタ１０２は、該動作要求に基づいて、車載機器１１４を動作させるための前提として行うべき操作を案内する操作案内情報を作成し、車両１０１に搭載された車載制御装置１１０へ送る。
【００１８】
車載制御装置１１０は、操作案内情報を受信すると、その内容を表示部１１３（図２参照）に表示する。そして、ユーザは、その表示内容にしたがって所望の車載機器１１４を動作させることが可能となる。
【００１９】
図２に、遠隔操作の対象となる車両１０１に搭載され、情報センタ１０２から指示された操作を実行する車載制御装置１１０の概略構成を示す。車載制御装置１１０は、情報センタ１０２（サーバ装置１２０）との間で情報を送受信するための送受信部１１１，ＬＣＤディスプレイ等で構成される表示部１１３，およびこれら各部を制御する制御部１１２とを含んで構成される。なお、送受信部１１１が本発明の操作案内情報取得手段，動作指令情報取得手段に相当する。また、表示部１１３が本発明の操作案内情報表示手段に相当する。
【００２０】
また、車載制御装置１１０は、周知のドアロック装置，トランク装置，窓開閉装置等の車載機器１１４と通信可能に接続されている。
【００２１】
制御部１１２は、図示しない周知のＣＰＵ，ＲＯＭ，ＲＡＭおよびその周辺回路を含むコンピュータハードウェアとして構成され、ＣＰＵがＲＯＭに記憶された制御プログラムを実行することで、車載制御装置１１０としての機能を実現する。なお、制御部１１２が本発明の動作制御手段に相当する。
【００２２】
図３に、情報センタ１０２に設置され、車両ユーザからの要求に応じて車両１０１（車載制御装置１１０）に要求された操作を実行させるサーバ装置１２０の概略構成を示す。サーバ装置１２０は、例えば周知のパーソナルコンピュータあるいはワークステーションとして構成され、車載制御装置１１０との間で情報を送受信するための送受信部１２１と、サーバ装置１２０の各部を制御する制御部１２２とを含む。なお、送受信部１２１が本発明の動作要求取得手段，操作案内情報作成出力手段，認証コード取得手段，動作指令情報出力手段に相当する。また、制御部１２２が本発明の操作案内情報作成出力手段，認証コード照合手段に相当する。
【００２３】
また、サーバ装置１２０は、所定のデータをデータベースの形式で記憶保持可能な記憶部１２３を含む。記憶部１２３は、ハードディスク装置等の任意の記憶媒体でよい。
【００２４】
また、サーバ装置１２０は、ユーザが携帯通信端末１０３を利用してアクセス可能なＷｅｂページを提供することが可能なインターネットサーバ機能部１２４を含む。無論、サーバ装置１２０と携帯通信端末１０３との通信方式は、Ｗｅｂページを用いないデータ通信方式としてもよい。
【００２５】
図４に、携帯通信端末１０３の概略構成を示す。携帯通信端末１０３は、例えば、インターネット接続が可能な携帯電話機として構成される。あるいは、ＰＤＡやノートブック型ＰＣなどの持ち運び可能な情報機器端末であってもよく、あるいは、デスクトップＰＣなどの固定端末であってもよい。
【００２６】
携帯通信端末１０３は、情報センタ１０２のインターネットサーバ機能部１２４が提供するＷｅｂページへアクセスするための送受信部などを含むインターネット接続部１３１と、ユーザが携帯通信端末１０３に任意の文字列を入力したり、メニュー項目を選択・決定したりするためのユーザ入力部１３３と、携帯通信端末１０３の各部を制御する制御部１３２とを備える。
【００２７】
また、携帯通信端末１０３は、アクセスしたＷｅｂページをユーザに視覚的に提示する表示部１３４を有する。本実施例において、表示部１３４は、例えば、小型のＬＣＤ（液晶ディスプレイ）を含む。あるいは、ユーザ入力部１３３および表示部１３４が一体化された、タッチパネルとして構成してもよい。
【実施例１】
【００２８】
図５〜図７を用いて、上述のような構成を有する車両遠隔操作システム１００における車両遠隔操作の処理の流れについて説明する。図５に、本実施例に係る遠隔操作処理のシーケンス図を示す。図６に、認証コードを含む操作案内情報が情報センタ１０２から車載制御装置１１０を送信された後の、表示部１１３における認証コードの表示からアンロック作動が行われるまでの操作の流れを示す。図７に、情報センタ１０２のサーバ装置１２０で実行される、遠隔操作制御処理のフロー図を示す。
【００２９】
図５において、まず、ユーザの所持する携帯通信端末１０３のユーザ入力部１３３の操作により、情報センタ１０２（サーバ装置１２０）に接続要求を送る（Ｓ１１）。このとき、ユーザＩＤおよびパスワードを用いて、ユーザ認証を行ってもよい。情報センタ１０２は、接続要求あるいは認証結果に基づいて接続許可信号を送信する（Ｓ１２）。このとき、携帯通信端末１０３の表示部１３４に、図１２のような、操作可能な項目を含む操作メニュー画面を表示してもよい。
【００３０】
ユーザは、図１２のような操作メニュー画面から所望の操作を選択する、あるいは所望の操作に対応するコード番号等をユーザ入力部１３３から入力する等して、所望する車載機器１１４の例えばアンロックのような動作要求を情報センタ１０２に送信する（Ｓ１３）。
【００３１】
情報センタ１０２は、動作要求を受信すると、その動作要求に対応する認証コードを生成し、該認証コードを含む操作案内情報を車両１０１の車載制御装置１１０へ送信する（Ｓ１４）。そして、車載制御装置１１０は、その操作案内情報を受信すると、認証コードを表示部１１３に表示する。この後、情報センタ１０２は、「認証コードを入力して下さい」というような、ユーザに認証コードを入力することを促すメッセージを携帯通信端末１０３に送信し、携帯通信端末１０３では、該メッセージを表示部１３４に表示する（Ｓ１５，図６参照）。
【００３２】
ユーザが表示部１１３を視認可能な車両１０１の近傍にいれば、認証コードを視認することができるので、該認証コードを携帯通信端末１０３のユーザ入力部１３３から入力すると、その内容が情報センタ１０２に送信される（Ｓ１６，図６参照）。情報センタ１０２では、先に生成した認証コードと、携帯通信端末１０３から受信した認証コードとを照合し、両者が一致して照合結果が正しければ、例えばアンロックのような動作指令情報を車両１０１の車載制御装置１１０へ送信する（Ｓ１７）。そして、車載制御装置１１０は、その動作指令情報に基づき、この場合はドアロック装置である車載機器１１４を動作させて、ドアロック装置に含まれるドアロック機構をアンロック状態とする（図６参照）。
【００３３】
図７を用いて、情報センタ１０２のサーバ装置１２０で実行される、遠隔操作制御処理について説明する。なお、本処理は、制御部１２２の図示しないＲＯＭに記憶され、図示しないＣＰＵによって繰り返し実行される。まず、送受信部１２１の状態を監視し、携帯通信端末１０３からの接続要求があるか否かを判定する（Ｓ３１）。携帯通信端末１０３からの接続要求がある場合（Ｓ３１：Ｙｅｓ）、携帯通信端末１０３にＩＤ，パスワードの入力を要求するメッセージを送信する。このメッセージの作成は、例えばインターネットサーバ機能部１２４において行われる。
【００３４】
携帯通信端末１０３では、表示部１３４にＩＤ，パスワードの入力を促すメッセージが表示され、ユーザが入力したＩＤ，パスワードがサーバ装置１２０に送られる。サーバ装置１２０では、予め記憶部１２３に登録されている該ユーザのＩＤ，パスワードと照合してユーザ認証を行う（Ｓ３２）。
【００３５】
携帯通信端末１０３から送られたユーザのＩＤ，パスワードが、記憶部１２３に登録されているものと一致して正しく認証された場合（Ｓ３３：Ｙｅｓ）、車載制御装置１１０に要求を送り、車両状態を取得する（Ｓ３４）。車両状態は、車載装置１１４の状態を示すもので、例えば、ドアロック装置の状態（ロック／アンロック），トランク装置の状態（開／閉），窓の状態（開／閉）等が挙げられる。そして、インターネットサーバ機能部１２４において、取得した車両状態に基づいて操作メニューを作成し、携帯通信端末１０３に送信する（Ｓ３５）。図１２に操作メニュー画面の一例を示す。図１２の例では、「全席アンロック」が表示されているが、取得した車両状態に含まれるドアロック装置の状態が「全席アンロック」であれば、操作メニュー画面には表示されない。
【００３６】
ユーザが操作メニュー画面から所望の操作を選択する、あるいは所望の操作に対応するコード番号等をユーザ入力部１３３から入力し、その内容（動作要求）を送受信部１２１で受信すると（Ｓ３６：Ｙｅｓ）、認証コードを作成する（Ｓ３７）。認証コード（図６では「認証Ｎｏ」と表記）は、図６のような４桁の数字でも文字列でもよい。また、予め認証コードを記憶部１２３に登録しておき、ユーザあるいは動作要求に対応した認証コードを読み出す構成でも、その都度ワンタイムの乱数を生成する構成でもよい。そして、作成された認証コードを含む操作案内情報を車載制御装置１１０に送信する（Ｓ３８）。
【００３７】
また、上述のような、認証コードの入力を促すメッセージを携帯通信端末１０３に送信してもよい。このとき、携帯通信端末１０３では、受信した該メッセージを表示部１３４に表示する。
【００３８】
車載制御装置１１０は、情報センタ１０２から受信した操作案内情報に含まれる認証コードを、表示部１１３に表示する。ユーザは、その表示された認証コードを、携帯通信端末１０３のユーザ入力部１３３から入力する。入力された認証コードは、情報センタ１０２に送信される。情報センタ１０２（サーバ装置１２０）は、携帯通信端末１０３から認証コードを受信すると（Ｓ３９：Ｙｅｓ）、ステップＳ３７で作成した認証コードと照合する（Ｓ４０）。
【００３９】
そして、照合の結果、作成した認証コードと受信した認証コードとが一致した場合（Ｓ４１：Ｙｅｓ）、車載制御装置１１０に対し、動作要求のあった車載装置１１４を動作させるための動作指令情報を送信する（Ｓ４２）。
【００４０】
車載制御装置１１０は、受信した動作指令情報に基づき、対象となる車載装置１１４（この場合、ドアロック装置）にドアロック機構をアンロック状態とするよう制御指令を送る。ドアロック装置では、ドアロックアクチュエータ（例えばモータＭ）を駆動して、ドアロック機構をアンロック状態とする。
【００４１】
なお、図７において、ステップＳ３１〜Ｓ３５は実行しない構成としてもよい。すなわち、携帯通信端末１０３から、接続要求と動作要求とを合わせてサーバ装置１２０に送信する。
【実施例２】
【００４２】
図８〜図１０を用いて、車両遠隔操作システム１００における車両遠隔操作の処理の流れの別例について説明する。図８に、本実施例に係る遠隔操作処理のシーケンス図を示す。図９に、認証コードを含む操作許可情報が情報センタ１０２から車載制御装置１１０を送信された後の、表示部１１３における操作許可情報の表示からアンロック作動が行われるまでの操作の流れを示す。図１０に、情報センタ１０２のサーバ装置１２０で実行される、遠隔操作制御処理のフロー図を示す。
【００４３】
図８のステップＳ５１〜Ｓ５３については、図５のステップＳ１１〜Ｓ１３と同様のシーケンスであるため、ここでは概略のみを述べる。まず、ユーザの所持する携帯通信端末１０３のユーザ入力部１３３の操作により、情報センタ１０２（サーバ装置１２０）に接続要求を送る（Ｓ５１）。情報センタ１０２は、接続要求あるいは認証結果に基づいて接続許可信号を送信する（Ｓ５２）。そして、ユーザは、図１２のような操作メニュー画面から所望の操作を選択する、あるいは所望の操作に対応するコード番号等をユーザ入力部１３３から入力する等して、所望する車載機器１１４の例えばアンロックのような動作要求を情報センタ１０２に送信する（Ｓ５３）。
【００４４】
情報センタ１０２は、動作要求を受信すると、その動作要求に対応する操作許可情報を生成し、車両１０１の車載制御装置１１０へ送信する（Ｓ５４）。操作許可情報は、例えば、以下のような内容を少なくとも１つ含む。
・  動作要求に対応する車載機器１１４の操作を予め定められた時間（例えば１０秒間）だけ許可する。
・  動作要求に対応する車載機器１１４の操作を予め定められた回数（例えば１回）だけ許可する。
【００４５】
車載制御装置１１０は、上述の操作許可情報を受信すると、その操作許可情報の内容を表示部１１３に表示する（Ｓ５４，図９参照）。そして、ユーザの操作を待ち、操作許可状態であるときにユーザの操作を検出した場合、該当する車載機器１１４を動作させる（図９参照）。
【００４６】
図１０を用いて、情報センタ１０２のサーバ装置１２０で実行される、遠隔操作制御処理について説明する。なお、本処理のステップＳ７１〜Ｓ７６は、図７のステップＳ３１〜Ｓ３６と同様であるため、ここでは概略のみを述べる。まず、送受信部１２１の状態を監視し、携帯通信端末１０３からの接続要求がある場合（Ｓ７１：Ｙｅｓ）、携帯通信端末１０３にＩＤ，パスワードの入力を要求するメッセージを送信し、ユーザが入力したＩＤ，パスワードがサーバ装置１２０に送られると、予め記憶部１２３に登録されている該ユーザのＩＤ，パスワードと照合してユーザ認証を行う（Ｓ７２）。
【００４７】
携帯通信端末１０３から送られたユーザのＩＤ，パスワードが、記憶部１２３に登録されているものと一致して正しく認証された場合（Ｓ７３：Ｙｅｓ）、車載制御装置１１０に要求を送り、車両状態を取得する（Ｓ７４）。そして、取得した車両状態に基づいて操作メニューを作成し、携帯通信端末１０３に送信する（Ｓ７５）。
【００４８】
ユーザが操作メニュー画面（図１２参照）から所望の操作を選択する、あるいは所望の操作に対応するコード番号等をユーザ入力部１３３から入力し、その内容（動作要求）を送受信部１２１で受信すると（Ｓ７６：Ｙｅｓ）、動作要求に対応する車載機器１１４についての操作許可情報を含む操作案内情報を作成し（Ｓ７７）、その操作案内情報を車載制御装置１１０に送信する（Ｓ７８）。
【００４９】
図１１を用いて、車載制御装置１１０の制御部１１２において、図示しないＲＯＭに記憶された制御プログラムに含まれ、ＣＰＵが実行する操作案内情報表示処理について説明する。
【００５０】
車載制御装置１１０は、操作案内情報を受信したとき（Ｓ９１：Ｙｅｓ）、情報センタ１０２から受信した操作案内情報に含まれる操作許可情報を、表示部１１３に表示する（Ｓ９２）。ユーザは、表示された操作許可情報に基づいて、該当する車載機器１１４の操作を行う。図９の例では、アンロック操作が許可された旨の操作許可情報が表示されている。上述のように、予め定められた時間だけ車載機器１１４の操作が許可される場合には、その時間だけ操作許可情報が表示される。操作が許可される残り時間をカウントダウン表示してもよい。
【００５１】
ユーザによって該当する車載機器１１４の操作が行われたとき（Ｓ９３：Ｙｅｓ）、操作許可情報が表示されている等して操作許可条件を満たす場合（Ｓ９４：Ｙｅｓ）、制御部１１２から対象となる車載装置１１４に制御指令を送る（Ｓ９５）。
【００５２】
図９の例では、車載装置１１４はドアロック装置であり、ドアノブあるいはその近傍に取り付けられたユーザの操作検出部（図９では「人センサ」と表記）で、ユーザの操作を検出する。人センサは、例えば周知のタッチセンサが用いられる。人センサがユーザの操作を検出すると、その情報が制御部１１２に送られる。そして、ユーザの操作が、操作許可情報が表示されている間に行われていれば、制御部１１２からドアロック装置にドアロック機構をアンロック状態とするように制御指令を送る。ドアロック装置では、ドアロックアクチュエータ（例えばモータＭ）を駆動して、ドアロック機構をアンロック状態とする。
【００５３】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００５４】
【図１】車両遠隔操作システムの構成を示す図。
【図２】車載制御装置の構成を示す図。
【図３】サーバ装置の構成を示す図。
【図４】携帯通信端末の構成を示す図。
【図５】遠隔操作処理を説明するシーケンス図（実施例１）。
【図６】認証コードの表示以降の操作の流れを示す図（実施例１）。
【図７】サーバ装置の遠隔操作制御処理を説明するフロー図（実施例１）。
【図８】遠隔操作処理を説明するシーケンス図（実施例２）。
【図９】操作許可情報の表示以降の操作の流れを示す図（実施例２）。
【図１０】サーバ装置の遠隔操作制御処理を説明するフロー図（実施例２）。
【図１１】車載制御装置における操作案内情報表示処理を説明するフロー図（実施例２）。
【図１２】携帯通信端末における操作メニュー画面の表示例を示す図。
【符号の説明】
【００５５】
１００    車両遠隔操作システム
１０１    車両
１０２    情報センタ
１０３    携帯通信端末
１１０    車載制御装置
１１１    送受信部（操作案内情報取得手段，動作指令情報取得手段）
１１２    制御部（動作制御手段）
１１３    表示部（操作案内情報表示手段）
１１４    車載機器
１２０    サーバ装置
１２１    送受信部（動作要求取得手段，操作案内情報作成出力手段，認証コード取得手段，動作指令情報出力手段）
１２２    制御部（操作案内情報作成出力手段，認証コード照合手段）
１２３    記憶部
１２４    インターネットサーバ機能部
１３１    インターネット接続部
１３２    制御部
１３３    ユーザ入力部
１３４    表示部
【図１】
0005200590.tif 000002
【図２】
0005200590.tif 000003
【図３】
0005200590.tif 000004
【図４】
0005200590.tif 000005
【図５】
0005200590.tif 000006
【図６】
0005200590.tif 000007
【図７】
0005200590.tif 000008
【図８】
0005200590.tif 000009
【図９】
0005200590.tif 000010
【図１０】
0005200590.tif 000011
【図１１】
0005200590.tif 000012
【図１２】
0005200590.tif 000013